(57)【要約】      （修正有）【課題】操作性を改善した光学式情報読取装置を提供する。【解決手段】読取対象となるシンボルを撮像して該シンボルを読み取るための光学式情報読取装置１００であって、一方向に延長された矩形状の表示面１２を有し、該表示面１２の該一方向に沿った端縁として撮像を行う側の第一端縁及び該第一端縁の反対側の第二端縁を有する表示モジュール１１と、表示モジュール１１の表示面１２と反対の面側に配置され、表示面１２と略平行な撮像光軸を有し、シンボルを撮像する撮像モジュールと、表示モジュール１１の第二端縁側に設けられた、表示面１２における表示内容を操作する操作キー４０と、表示面１２の長手方向に、該表示面１２から離れる方向に傾斜されて延長された把持部２０とを備える。【選択図】図１
2020177310.tif 000002
【特許請求の範囲】
【請求項１】
読取対象となるシンボルを撮像して該シンボルを読み取るための光学式情報読取装置であって、
一方向に延長された矩形状の表示面を有し、該表示面の該一方向に沿った端縁として撮像を行う側の第一端縁及び該第一端縁の反対側の第二端縁を有する表示モジュールと、
前記表示モジュールの前記表示面と反対の面側に配置され、前記表示面と略平行な撮像光軸を有し、シンボルを撮像する撮像モジュールと、
前記表示モジュールの第二端縁側に設けられた、前記表示面における表示内容を操作する操作キーと、
前記表示面の長手方向に、該表示面から離れる方向に傾斜されて延長された把持部と、
を備えてなる光学式情報読取装置。
【請求項２】
請求項１に記載の光学式情報読取装置であって、さらに、
前記撮像モジュールの撮像処理を開始させるトリガスイッチを備え、
前記トリガスイッチは、前記表示面を設けた側の反対側であって、前記表示モジュールと把持部とが面する領域に設けられ、前記トリガスイッチの動作方向が前記表示モジュールの表示面と略平行になるように配置されてなる光学式情報読取装置。
【請求項３】
請求項１又は２に記載の光学式情報読取装置であって、
前記操作キーは、前記表示面から傾斜された傾斜面に設けられており、
前記把持部は、前記傾斜面から連なって、前記表示面の長手方向に、該表示面から離れる方向に傾斜されて延長されてなる光学式情報読取装置。
【請求項４】
請求項３に記載の光学式情報読取装置であって、さらに、
前記撮像モジュールの撮像位置を指示するためのエイミング光を照射するエイミングモジュールと、
前記エイミングモジュールからエイミング光を照射させるエイミングスイッチと、
を備え、
前記エイミングスイッチは、前記傾斜面に配置されてなる光学式情報読取装置。
【請求項５】
請求項４に記載の光学式情報読取装置であって、
前記操作キーと前記エイミングスイッチが、同一平面状に配置されてなる光学式情報読取装置。
【請求項６】
請求項１〜５のいずれか一項に記載の光学式情報読取装置であって、
前記操作キーは、前記表示モジュールの表示面における表示内容に関連する決定操作を行うためのエンターキーを含んでなる光学式情報読取装置。
【請求項７】
請求項１〜６のいずれか一項に記載の光学式情報読取装置であって、
前記操作キーは、前記表示面における方向性を示す操作または数字入力操作を行うための十字キーを含んでなる光学式情報読取装置。
【請求項８】
請求項１〜７に記載の光学式情報読取装置であって、
前記把持部は、その延伸方向の中間において、該延伸方向と直交する方向に突出する把持突出片を形成しており、
前記把持突出片の下面に曲面状の第一凹部を形成してなる光学式情報読取装置。
【請求項９】
請求項８に記載の光学式情報読取装置であって、
前記把持部は、前記トリガスイッチを直動可能に支持するトリガ支持部材を有しており、
前記トリガ支持部材と把持突出片との間に、曲面状の第二凹部が形成されており、
前記第二凹部は、前記表示面の長手方向において、前記第一凹部よりも前記第一端縁側に配置されてなる光学式読取装置。
【請求項１０】
請求項９に記載の光学式情報読取装置であって、
前記表示モジュールの下面であって、前記トリガスイッチの前方に、曲面状の第三凹部が形成されており、
前記第三凹部は、前記表示面の長手方向において、前記第二凹部よりも前記第一端縁側に配置されてなる光学式読取装置。
【請求項１１】
請求項１０に記載の光学式情報読取装置であって、
前記第三凹部は、前記表示部の平面視において曲面状に形成されてなる光学式情報読取装置。
【請求項１２】
請求項１〜１１のいずれか一項に記載の光学式情報読取装置であって、さらに、
載置時に接触する隅部を少なくとも被覆する弾性を有する被覆弾性部材を備えてなる光学式情報読取装置。
【請求項１３】
請求項１〜１２のいずれか一項に記載の光学式情報読取装置であって、
前記撮像素子を複数設けてなる光学式情報読取装置。
【請求項１４】
請求項１３に記載の光学式情報読取装置であって、
前記複数の撮像素子が、それぞれ異なる焦点距離の、固定焦点式である光学式情報読取装置。
【請求項１５】
請求項１〜１４のいずれか一項に記載の光学式情報読取装置であって、
前記撮像モジュールは、前記表示面の平面視において、該表示面と重複する位置に配置されてなる光学式情報読取装置。
【請求項１６】
請求項３に記載の光学式情報読取装置であって、
前記撮像モジュールは、前記表示面の平面視において、該表示面の長手方向における、前記表示モジュールの傾斜面と反対側の端面よりも、前記傾斜面側に配置されてなる光学式情報読取装置。
【請求項１７】
請求項１〜１６のいずれか一項に記載の光学式情報読取装置であって、
前記表示面を有する本体部と、把持部とが一体的に形成されてなる光学式情報読取装置。
【請求項１８】
請求項１〜１７のいずれか一項に記載の光学式情報読取装置であって、さらに、
前記撮像モジュールにより撮像されたシンボルの画像データに基づいて、該シンボルの情報を読み取る読取部を備えてなる光学式情報読取装置。
【発明の詳細な説明】
【技術分野】
【０００１】
本発明は、光学式情報読取装置、光学式情報読取方法に関する。
【背景技術】
【０００２】
読取対象となるシンボル（ＱＲコード等）からの光を受光し、イメージセンサによりシンボルの画像データを取得し、その画像データを解析することでシンボルに応じた情報を読み取る、手持ち式（ハンディタイプ）の光学的情報読取装置が知られている。また、手持ち式の光学的情報読取装置で、異なる焦点距離をもつ２つの結像モジュールにより画像データを取得し、読取可能な深度を深くする技術も知られている（例えば特許文献１）。
【先行技術文献】
【特許文献】
【０００３】
【特許文献１】持関平１１−３１２２１０号公報
【発明の概要】
【発明が解決しようとする課題】
【０００４】
しかしながら、特許文献１では、光学式情報読限装置の操作性について配慮されていない。例えば、ガンタイプのコードスキャナの上面に表示モジュールを取り付け、その下面に複数のイメージセンサを配置する構成を考える。この場合使用者は、片手でコードスキャナを把持し、もう一方の手で表示モジュールの表示内容を操作（例えばタッチパネル操作）しなければならず、片手のみで表示内容を操作することは困難であった。例えば、片手でコードスキャナを把持しながら、他方の手に荷物を持った状態で表示内容を操作することは困難であった。
【０００５】
本発明の目的の一は、操作性を改善した光学式情報読取装置、光学式情報読取方法を提供することにある。
【課題を解決するための手段及び発明の効果】
【０００６】
本発明の第１の側面に係る光学式情報読取装置によれば、読取対象となるシンボルを撮像して該シンボルを読み取るための光学式情報読取装置であって、一方向に延長された矩形状の表示面を有し、該表示面の該一方向に沿った端縁として撮像を行う側の第一端縁及び該第一端縁の反対側の第二端縁を有する表示モジュールと、前記表示モジュールの前記表示面と反対の面側に配置され、前記表示面と略平行な撮像光軸を有し、シンボルを撮像する撮像モジュールと、前記表示モジュールの第二端縁側に設けられた、前記表示面における表示内容を操作する操作キーと、前記表示面の長手方向に、該表示面から離れる方向に傾斜されて延長された把持部とを備えることができる。上記構成により、利用者は把持部を握った手の親指でもって操作キーを操作することが可能となり、片手で光学式情報読取装置を把持しながら、操作キーの操作も同じく片手で行うことが可能となり、使い勝手が向上される。
【０００７】
また、本発明の第２の側面に係る光学式情報読取装置によれば、上記構成に加えて、さらに、前記撮像モジュールの撮像処理を開始させるトリガスイッチを備え、前記トリガスイッチは、前記表示面を設けた側の反対側であって、前記表示モジュールと把持部とが面する領域に設けられ、前記トリガスイッチの動作方向が前記表示モジュールの表示面と略平行になるように配置することができる。
【０００８】
さらに、本発明の第３の側面に係る光学式情報読取装置によれば、上記何れかの構成に加えて、前記操作キーは、前記表示面から傾斜された傾斜面に設けられており、前記把持部は、前記傾斜面から連なって、前記表示面の長手方向に、該表示面から離れる方向に傾斜されて延長させることができる。
【０００９】
さらに、本発明の第４の側面に係る光学式情報読取装置によれば、上記何れかの構成に加えて、さらに、前記撮像モジュールの撮像位置を指示するためのエイミング光を照射するエイミングモジュールと、前記エイミングモジュールからエイミング光を照射させるエイミングスイッチとを備え、前記エイミングスイッチを、前記傾斜面に配置することができる。
【００１０】
さらにまた、本発明の第５の側面に係る光学式情報読取装置によれば、上記何れかの構成に加えて、前記操作キーと前記エイミングスイッチを、同一平面状に配置することができる。
【００１１】
さらにまた、本発明の第６の側面に係る光学式情報読取装置によれば、上記何れかの構成に加えて、前記操作キーが、前記表示モジュールの表示面における表示内容に関連する決定操作を行うためのエンターキーを含むことができる。
【００１２】
さらにまた、本発明の第７の側面に係る光学式情報読取装置によれば、上記何れかの構成に加えて、前記操作キーは、前記表示面における方向性を示す操作または数字入力操作を行うための十字キーを含むことができる。
【００１３】
さらにまた、本発明の第８の側面に係る光学式情報読取装置によれば、上記何れかの構成に加えて、前記把持部は、その延伸方向の中間において、該延伸方向と直交する方向に突出する把持突出片を形成しており、前記把持突出片の下面に曲面状の第一凹部を形成することができる。上記構成により、使用者が把持部を把持する際に、把持部から突出させた把持突出片の下面の第一凹部を指で支持することにより、光学式情報読取装置を部分的に支持できるようになり、把持部を握る握力以外に光学式情報読取装置の加重を受ける部材を付加して保持の安定性が向上される。また、突出された把持突出片の上下面を指で挟み込むことにより、把持突出片を指の間で摘まむようにして一層安定的に保持することが可能となる。
【００１４】
さらにまた、本発明の第９の側面に係る光学式情報読取装置によれば、上記何れかの構成に加えて、前記把持部は、前記トリガスイッチを直動可能に支持するトリガ支持部材を有しており、前記トリガ支持部材と把持突出片との間に、曲面状の第二凹部が形成されており、前記第二凹部は、前記表示面の長手方向において、前記第一凹部よりも前記第一端縁側に配置することができる。上記構成により、使用者は第二凹部に指をかけることで、トリガ支持部材を指の上面で支えることができ、光学式情報読取装置を部分的に支持することで、把持部を握る握力以外に光学式情報読取装置の加重を受ける部材を付加して保持の安定性が向上される。
【００１５】
さらにまた、本発明の第１０の側面に係る光学式情報読取装置によれば、上記何れかの構成に加えて、前記表示モジュールの下面であって、前記トリガスイッチの前方に、曲面状の第三凹部が形成されており、前記第三凹部を、前記表示面の長手方向において、前記第二凹部よりも前記第一端縁側に配置させることができる。上記構成により、使用者は第二凹部に指をかけることで、トリガ支持部材を指の上面で支えることができ、光学式情報読取装置を部分的に支持することで、把持部を握る握力以外に光学式情報読取装置の加重を受ける部材を付加して保持の安定性が向上される。
【００１６】
さらにまた、本発明の第１１の側面に係る光学式情報読取装置によれば、上記何れかの構成に加えて、前記第三凹部を、前記表示部の平面視において曲面状に形成することができる。上記構成により、使用者がトリガスイッチに指をかけた際、折曲させた指に沿うように第三凹部が曲面状に形成されることで、指の上面の広い面積でもって光学式情報読取装置を支え易くできる。
【００１７】
さらにまた、本発明の第１２の側面に係る光学式情報読取装置によれば、上記何れかの構成に加えて、さらに、載置時に接触する隅部を少なくとも被覆する弾性を有する被覆弾性部材を備えることができる。上記構成により、光学式情報読取装置を不意に落下させたときでも、被覆弾性部材で落下の衝撃を吸収して光学式情報読取装置を保護できる。
【００１８】
さらにまた、本発明の第１３の側面に係る光学式情報読取装置によれば、上記何れかの構成に加えて、前記撮像素子を複数設けることができる。
【００１９】
さらにまた、本発明の第１４の側面に係る光学式情報読取装置によれば、上記何れかの構成に加えて、前記複数の撮像素子が、それぞれ異なる焦点距離の、固定焦点式とすることができる。
【００２０】
さらにまた、本発明の第１５の側面に係る光学式情報読取装置によれば、上記何れかの構成に加えて、前記撮像モジュールは、前記表示面の平面視において、該表示面と重複する位置に配置することができる。
【００２１】
さらにまた、本発明の第１６の側面に係る光学式情報読取装置によれば、上記何れかの構成に加えて、前記撮像モジュールは、前記表示面の平面視において、該表示面の長手方向における、前記表示モジュールの傾斜面と反対側の端面よりも、前記傾斜面側に配置することができる。
【００２２】
さらにまた、本発明の第１７の側面に係る光学式情報読取装置によれば、上記何れかの構成に加えて、前記表示面を有する本体部と、把持部とを一体的に形成することができる。
【００２３】
さらにまた、本発明の第１８の側面に係る光学式情報読取装置によれば、上記何れかの構成に加えて、さらに、前記撮像モジュールにより撮像されたシンボルの画像データに基づいて、該シンボルの情報を読み取る読取部を備えることができる。
【図面の簡単な説明】
【００２４】
【図１】実施形態１に係る光学式情報読取装置を後方斜め上方から見た斜視図である。
【図２】図１の光学式情報読取装置を前方斜め下方から見た斜視図である。
【図３】図１の光学式情報読取装置を後方斜め下方から見た斜視図である。
【図４】図１の光学式情報読取装置の右側面図である。
【図５】図１の光学式情報読取装置の左側面図である。
【図６】図４の撮像モジュールを示す一部断面図である。
【図７】比較例に係る光学式情報読取装置を示す側面図である。
【図８】図５の光学式情報読取装置の操作キーを親指で操作する様子を示す左側面図である。
【図９】把持突出片の上下を指で挟む状態を示す側面図である。
【図１０】人差し指を第三凹部に位置させた状態を斜め下方から見た光学式情報読取装置の斜視図である。
【図１１】二次電池を外した状態を示す光学式情報読取装置の分解斜視図である。
【図１２】変形例に係る光学式情報読取装置を示す模式分解側面図である。
【図１３】他の変形例に係る光学式情報読取装置を示す模式分解側面図である。
【図１４】表示モジュールに表示させる検品画面の一例を示すイメージ図である。
【発明を実施するための形態】
【００２５】
以下、本発明の実施の形態を図面に基づいて説明する。ただし、以下に示す実施の形態は、本発明の技術思想を具体化するための光学式情報読取システム、光学式情報読取装置、光学式情報読取方法を例示するものであって、本発明は光学式情報読取システム、光学式情報読取装置、光学式情報読取方法を以下のものに特定しない。また、本明細書は特許請求の範囲に示される部材を、実施の形態の部材に特定するものでは決してない。特に実施の形態に記載されている構成部品の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。
［実施形態１］
【００２６】
光学式情報読取装置は、バーコードや二次元コードなどのシンボルを読み取ってデータの登録、照合を行う部材であり、ハンディスキャナ、ハンディターミナル、業務用ＰＤＡ等とも呼ばれる。本発明の実施形態１に係る光学式情報読取装置１００を、図１〜図６に示す。これらの図において、図１は実施形態１に係る光学式情報読取装置１００を後方斜め上方から見た斜視図、図２は図１の光学式情報読取装置１００を前方斜め下方から見た斜視図、図３は図１の光学式情報読取装置１００を後方斜め下方から見た斜視図、図４は図１の光学式情報読取装置１００の右側面図、図５は図１の光学式情報読取装置１００の左側面図、図６は図４の撮像モジュール５０を示す一部断面図を、それぞれ示している。
【００２７】
これらの図に示す光学式情報読取装置１００は、表示モジュール１１を上面に設けた本体部１０と、この本体部１０の後端から斜めに延出された把持部２０とを備える。把持部２０は、トリガスイッチ３０を備えている。使用者は把持部２０を握って、トリガスイッチ３０を指で操作することにより、シンボルの読み取り等の処理を実行させる。図５は、使用者が右手で把持部２０を握り、トリガスイッチ３０に人差し指をかけた状態を示している。この状態で、使用者はシンボルＳＢに向かう姿勢に光学式情報読取装置１００を構えて、トリガスイッチ３０を引いて読み取りを行う。また光学式情報読取装置１００は、使用者に読取可能な範囲を指示するために、レーザやＬＥＤ等で撮像モジュールの撮像位置を指示するエイミング光を照射させることができる。このため光学式情報読取装置１００は、エイミング光を照射するエイミングモジュールを備えている。さらに光学式情報読取装置１００は、撮像モジュール５０により撮像されたシンボルの画像データに基づいて、該シンボルの情報を読み取る読取部を備える。
（本体部１０）
【００２８】
本体部１０は、上面を平坦面とし、表示モジュール１１を設けている。表示モジュール１１は、一方向に延長された矩形状の表示面１２を有する。表示面１２は、タッチパネルとすることができる。また表示モジュール１１を含む本体部１０は、この表示面１２の長手方向に沿った端縁として、撮像を行う第一端縁と、この第一端縁の反対側の第二端縁を有する。第一端縁は本体部１０の先端側、すなわちシンボルの読み取りを行う面側であり、第二端縁は本体部１０の後端側に位置される。
【００２９】
また第二端縁は、表示面１２から把持部２０側に向かって傾斜させた傾斜面１３を設けている。この傾斜面１３には、使用者が指で操作するための各種の操作キー４０を配置している。使用者は操作キー４０を操作することで、表示面１２における表示内容に対して種々の操作を実行したり、照明光やエイミング光の照射、読み取り、画像の撮像などの各種の処理を行う。
【００３０】
ここで照明光は、読取対象となる二次元コード等のシンボルを照明するための光であり、照明モジュールから照射される。またエイミング光は、光学式情報読取装置１００の読み取り位置を示す光であり、エイミングモジュールから照射される。エイミング光を、半導体レーザなどで示される点や十字、線などのパターンとすることで、このようなエイミング光のパターンに基づいて読み取り領域を使用者に示すことができる。好ましくは、エイミング光のパターンに水平線を含めることで、使用者にバーコードスキャンを行う走査の線をイメージさせて、その目的を視覚的に把握させやすくなる。また、水平線の中央に縦線を交差させた十字状とすることで、中心の位置を把握しやすくなる。十字状のパターンとしたエイミング光は、例えば横線を長く、縦線を短くした横長の十字状として、横長のバーコードをイメージさせやすくなる。
（操作キー４０）
【００３１】
図１等の例では、操作キー４０として傾斜面１３の中心に十字キー４１を、その右側にエンターキー４２、左側に第一ファンクションキー４３を設けている。十字キー４１は、表示面１２における方向性を示す操作を行うためのキースイッチである。またエンターキー４２は、表示モジュール１１の表示面１２における表示内容に関連する決定操作を行うためのキースイッチである。このように傾斜面１３に操作キー４０を配置することで、光学式情報読取装置１００の上面側からでも、背面側からでも、操作キー４０を視認でき、操作が可能となる。加えて、把持部２０を持った手の親指で、傾斜面１３に設けた操作キー４０を操作できるようになり、片手で光学式情報読取装置１００を把持しながら操作キー４０を操作可能とできる。
【００３２】
さらに本体部１０の側面にも、各種のキーを設けている。この例では図１や図５に示すように、使用者が把持した状態で使用者側から見て本体部１０の左側側面に電源キー４４と、第二ファンクションキー４５を、また図２、図３、図４に示すように本体部１０の右側側面に＋キー４６と−キー４７を、それぞれ設けている。これらの＋キー４６や−キー４７は、ボリューム等の数値の増減に使用したり、他のキーと組み合わせて特定の機能を実行するショートカットキーとして利用できる。
【００３３】
なお、図１等で示す光学式情報読取装置１００では、物理的なテンキーを備えていない。テンキーは、ソフトウェアキーボードを表示面１２に表示させて実現している。これにより、表示面１２に物理テンキーを配置するスペースを省いて、その分で表示面１２のディスプレイに広い面積を確保できる。
（収納部１４）
【００３４】
さらに本体部１０の下面からは、先端面の第一端縁から奥まった位置にオフセットさせて収納部１４を突出させている。収納部１４には、図６に示すように撮像モジュール５０を収納している。
（撮像モジュール５０）
【００３５】
撮像モジュール５０は、表示モジュール１１の表示面１２と反対の面側に配置される。この撮像モジュール５０は、表示面１２と略平行な撮像光軸でもってシンボルを撮像する。このため撮像モジュール５０は、シンボルを撮像する撮像素子を備える。撮像素子は、複数設けてもよい。複数の撮像素子は、それぞれ異なる焦点距離の、固定焦点式の光学系と接続することができる。
【００３６】
また撮像モジュール５０は、エイミングモジュールと照明モジュールを含む。また収納部１４の前面は、図２に示すように透光性のカバー１５が設けられる。図２において破線の矢印で示すように、透光性カバー１５を通じて、エイミングモジュールや照明モジュールから、エイミング光や照明光がそれぞれ出射される。
【００３７】
撮像モジュール５０は、表示面１２の平面視において、この表示面１２と重複する位置に配置することが好ましい。また撮像モジュール５０は、表示面１２の平面視において、この表示面１２の長手方向における、表示モジュール１１の傾斜面１３と反対側の端面よりも、傾斜面１３側に配置することが好ましい。これにより、筐体に対して比較的近距離（例えば２０ｃｍ以内）で読取する場合でも、広い視野が得られるため読み取りがしやすいというメリットが得られる。また、重さのバランスを操作面側に位置させることもできる。これにより、読み取り装置を持ったときの重さの感じ方を低減することができる。
（エイミングモジュール）
【００３８】
エイミングモジュールは、撮像モジュール５０の撮像領域を指示するためのエイミング光を照射する。
【００３９】
また光学式情報読取装置１００は、このエイミングモジュールからエイミング光を照射させるためのエイミングスイッチを設けている。エイミングスイッチは、操作キー４０と同様、傾斜面１３に配置される。操作キー４０とエイミングスイッチは、同一平面状に配置されている。
【００４０】
またエイミングスイッチは、専用のキースイッチを設ける他、他のキースイッチと兼用してもよい。例えば操作キー４０を構成するキースイッチに、エイミングスイッチの機能を割り当ててもよい。一例として、図１等に示す第一ファンクションキー４３（図において十字キー４１の左）にエイミングスイッチの機能を割り当てる。これにより、物理的なキースイッチの数を減らして構成を簡素化できる。
【００４１】
また本体部１０は、読取部を含んでいる。読取部は、撮像モジュール５０により撮像されたシンボルの画像データに基づいて、このシンボルの情報を読み取る。
【００４２】
さらに光学式情報読取装置１００は、本体部１０の傾斜面１３から連なって、表示面１２の長手方向に、この表示面１２から離れる方向に傾斜されて延長された把持部２０と、撮像モジュール５０の撮像処理を開始させるトリガスイッチ３０を備える。トリガスイッチ３０は、把持部２０が表示モジュール１１の背面側と面する領域に設けられる。図２、図４、図５等の例では、トリガスイッチ３０は把持部２０の上部に設けられる。具体的には、把持部２０の上部に、トリガスイッチ３０を直動可能に支持するトリガ支持部材１６を形成している。トリガ支持部材１６は、トリガスイッチ３０の動作方向が表示モジュール１１の表示面１２とほぼ平行になるように、トリガスイッチ３０を保持している。
（把持部２０）
【００４３】
把持部２０は、本体部１０の後端側、すなわち使用者が把持部２０を握った姿勢で手前側となる端面から、斜め方向に延伸されている。このように斜めに傾斜させることで、使用者が手で把持し易くなる。また本体部１０の後端側に設けた傾斜面１３と連なるように把持部２０を延伸させている。特に、表示モジュール１１の上面から傾斜面１３を傾斜させると共に、傾斜面１３から更に把持部２０で傾斜させることで、本体部１０の後端側をスムーズに折曲させて、取り扱いが容易となる。
【００４４】
加えて、把持部２０を本体部１０の後端側に設けたことで、本体部１０が後端側に突出部分をなくすことができる。例えば図７に示す比較例に係る光学式情報読取装置７００のように、把持部７２０を本体部７１０の後端からオフセットさせた構成では、把持部７２０の後方から突出する部分Ｘが存在するため、この光学式情報読取装置７００を携行する際に、使用者が腰から吊り下げたりホルダやケースに納めても、後端突出部分Ｘが常時突出し、邪魔になることがある。この結果、ホルダ等に収納しなくなって故障の原因となることが懸念される。
【００４５】
また図７の構成では、把持部７２０を握った手の親指で、本体部７１０の後端に設けた操作キー７４０を操作しようとしても、後端突出部分Ｘが邪魔となって操作キー７４０に親指が届かない。このため、把持部７２０を持っていない側の手で操作キー７４０を操作する必要が生じる。把持部７２０を持っていない側の手で荷物を持っている場合は、一旦荷物を置いて操作しなければならず、作業に時間がかかったり、荷物を置くときに荷物を破損させる可能性がある。
【００４６】
これに対して図５のような突出部分を排除した構成であれば、把持部２０と表示面１２の後端とが連続しているため、把持部２０を持っている側の手の親指でもって操作キー４０の操作が可能となる。特に、片手で光学式情報読取装置１００の把持部２０を把持している際でも利用可能な親指で操作できるよう、親指の位置する表示モジュール１１の後端側に操作キー４０を位置させ、かつ操作キー４０を設ける面を傾斜面１３とし、さらに把持部２０を表示面１２と直交させるのでなく傾斜させている。このような構成を採用したことで、使用者が親指以外の指で把持部２０を把持した状態で、親指でアクセスし易い位置に操作キー４０が配置される状態となる。加えて、操作キー４０のみならず、表示面１２のタッチパネルに対しても操作が可能となる。この結果、片手で光学式情報読取装置１００を把持しながら、光学式情報読取装置１００に対する操作を親指で行うことができる。すなわち、他方の手で読取対象を持ったまま、もう片方の手で光学式情報読取装置１００を把持して読み取り、かつ必要な操作を親指で行うことができる。いいかえると、両手で操作が必要な場合であれば、一旦荷物を置くなどして両方の手を使える状態としなければならないところ、片手で操作を完結させたことでこのような手間をなくし、極めて使い勝手がよく、効率的な作業が実現される。
（把持突出片２１）
【００４７】
一方で、図７に示す構成では、後端突出部分Ｘが存在するため、この突出部分の底面を手の甲で支えることができた。すなわち、親指の人差し指の間の領域で本体部１０を部分的に支持することで、光学式情報読取装置７００の荷重を分散させることが可能であった。
【００４８】
これに対して図５や図８等で示す実施形態１に係る光学式情報読取装置１００では、後端突出部分Ｘを省いた結果、手の甲を用いて光学式情報読取装置１００を支持できなくなる結果、把持部２０を握る握力のみで光学式情報読取装置１００を保持することとなって、負荷が大きくなる。そこで、図５に示すように、把持部２０の延伸方向の中間において、この延伸方向と直交する方向に突出する把持突出片２１を設けている。これにより、使用者が把持部２０を把持する際には、把持突出片２１の下面を指で支持することが可能となって、把持部２０を握る握力以外に光学式情報読取装置１００を支持する支点を付加して、光学式情報読取装置１００を支える負荷を分散させることができ、保持の安定性が向上される。また、図９に示すように突出された把持突出片２１の上下面を指で挟み込むことにより、把持突出片２１を指の間で摘まむようにして一層安定的に保持することが可能となる。図８の例では、使用者の右手の中指と薬指で把持突出片２１を狭持する状態を示しており、これによって確実な保持が図られ、把持部２０を介した光学式情報読取装置１００のハンドリングが向上される。もちろん、把持突出片２１を挟む指は、使用者の中指と薬指に限られず、例えば薬指と小指の組み合わせ等、任意の隣り合う指が利用できる。また右手に限らず、左手でも把持可能であることはいうまでもない。
（第一凹部２２）
【００４９】
また、この把持突出片２１の下面には、曲面状の第一凹部２２を形成することが好ましい。これにより、把持突出片２１の下面に指を配置し易く、指に接する面を曲面とすることで把持する際に指に馴染み易く、接触面積を増やして圧力を低減できる。いいかえると、第一凹部２２をシャープな矩形状とした場合に、指との間に隙間が生じたりエッジ部分が指に触れて痛みを感じるといった事態を回避できる。
（第二凹部２３）
【００５０】
さらに把持部２０は、トリガ支持部材１６と把持突出片２１との間に、曲面状の第二凹部２３を形成している。このような構成により、使用者は第二凹部２３に指をかけることで、トリガ支持部材１６を指の上面で支えることができ、光学式情報読取装置１００を部分的に支持することで、把持部２０を握る握力以外に光学式情報読取装置１００の加重を受ける部材を付加して保持の安定性が向上される。また第二凹部２３を曲面状としたことで、上述の通り第二凹部２３に指のかける際に指の外周にフィットし易くなり、ホールド感が向上される。
【００５１】
一方で第二凹部２３は、表示面１２を平面視した際に、この表示面１２の長手方向において、第一凹部２２よりも第一端縁側に配置されている。このような配置によって、長手方向に延長された光学式情報読取装置１００を、長手方向に異なる位置で使用者の指で支持して負荷をバランスよく分散させつつ、支持する指の位置が異なることで支点や力点を長手方向に離間させて、把持部２０の把持動作のみならず、把持部２０を持って光学式情報読取装置１００の姿勢を変えたり回転させたり移動させたりといった操作性が向上される。
（第三凹部２４）
【００５２】
また図５等に示す光学式情報読取装置１００は、表示モジュール１１の下面であって、トリガスイッチ３０の前方に、第三凹部２４を形成している。このような構成により、さらにトリガスイッチ３０に掛ける人差し指などの指を第三凹部２４に位置させることで、この指の上面で表示モジュール１１を下面側から直接支持できるようになり、第二凹部２３や第一凹部２２に加えて３箇所で光学式情報読取装置１００を支持して光学式情報読取装置１００の荷重をさらに分散させ、光学式情報読取装置１００を保持する負荷を軽減して保持の安定性が一層向上される。
【００５３】
この第三凹部２４は、表示面１２を平面視した際に、この表示面１２の長手方向において、第二凹部２３よりも第一端縁側に配置されている。このような配置によって、光学式情報読取装置１００の長手方向において第一凹部２２、第二凹部２３、第三凹部２４の３箇所で、使用者の指で支持して負荷を一層バランスよく分散させ、把持部２０や本体部１０の姿勢変更や回転、移動といった操作時のハンドリングが向上される。
【００５４】
また第三凹部２４は、図１０等に示すように底面視において曲面状に形成する。これにより、使用者がトリガスイッチ３０に人差し指などの指をかけた際、折曲させた指に自然に沿うように第三凹部２４が曲面状に形成され、使用者は無理なく指の上面の広い面積でもって光学式情報読取装置１００を支えることができる。また指の折曲に沿うように第三凹部２４をアーチ状に延長させたことで、人差し指と第三凹部２４とのフィット感も向上され、光学式情報読取装置１００の姿勢を変えるなど物理的に移動させる際に、人差し指を利用して操作することが可能となり、この点においても操作性の向上が図られる。例えば人差し指を中心に読み取り装置を回転させ、表示面を起こすことができ、タッチ面への操作性を片手で改善することができる。
【００５５】
加えて、第三凹部２４の曲面状は、左右対称に形成することが好ましい。これにより、使用者が右手、左手のいずれで把持しても同様に人差し指を第三凹部２４に位置させて扱うことができ、右利き、左利きの双方に対応できる。
（電池蓋２５）
【００５６】
この光学式情報読取装置１００は、各電子部品を動作させる電源として二次電池２６を内蔵している。二次電池２６は、好ましくは把持部２０に内蔵される。このため把持部２０は、図３等に示すようにその底面に開閉式の電池蓋２５を備えている。電池蓋２５は、開閉のロックを行うロックレバーを備える。ロックレバーは把持部２０の底面の面内で回転自在に連結されており、ロック解除方向にロックレバーを回転させることで、電池蓋２５のロックが解除され、電池蓋２５が開放される。
【００５７】
電池蓋２５を開けて、二次電池２６を把持部２０から外した状態を示す光学式情報読取装置１００の分解斜視図を、図１１に示す。この図に示すように電池蓋２５は、把持部２０の手前側にヒンジを設けており、第一端縁側に向かって回動するように開閉する。このような構成により、光学式情報読取装置１００を持った状態で電池蓋２５が自重で閉塞する方向に回動することを防ぐことができる。二次電池２６は、円筒型のリチウムイオン二次電池（例えば１８６５０型など）等が好適に利用できる。
【００５８】
なお把持部２０は、本体部１０と一体的に形成してもよいし、別部材で構成してもよい。
（被覆弾性部材１７）
【００５９】
さらに光学式情報読取装置１００は、弾性を有する被覆弾性部材１７を備えることができる。被覆弾性部材１７は、図１等に示すように載置時に接触する隅部を少なくとも被覆する。これにより、光学式情報読取装置１００を不意に落下させたときでも、隅部に設けた被覆弾性部材１７で落下の衝撃を吸収することにより、光学式情報読取装置１００を保護できる。
［変形例］
【００６０】
以上の例では、表示モジュール１１側に傾斜面１３や撮像モジュール５０を設け、また把持部２０側にトリガスイッチ３０やトリガ支持部材１６を設ける例について説明した。ただ本発明は、各部材を設ける先をこれらの組み合わせに限定するものでなく、適宜レイアウトや配置先を変更することができる。例えば図１２に示す変形例に係る光学式情報読取装置２００のように、傾斜面１３や撮像モジュール５０は必ずしも表示モジュール１１Ｂ側に設ける構成に限らず、把持部２０Ｂ側に配置してもよい。あるいは図１３に示す変形例に係る光学式情報読取装置３００のように、トリガスイッチ３０やトリガ支持部材１６も、必ずしも把持部２０Ｃ側に設ける必要はなく、表示モジュール１１Ｃ側に設けてもよい。このような配置例としても、上述した本願発明の機能は同様に発揮される。
【００６１】
光学式情報読取装置３００を用いて検品作業を行う際に、表示モジュール１１に表示させる検品画面９０の一例を、操作キー４０と共に図１４に示す。この図に示す検品画面９０は、商品棚の位置（LOCATION ID）を示す棚番号入力欄９１と、商品の情報（PRODUCT ID）を示す商品情報入力欄９２と、商品の数（pcs）を示す商品数入力欄９３と、「戻る」ボタン９４及び「次へボタン」９５を備える。また操作キー４０は、十字キー４１とエンターキー４２、第一ファンクションキー４３を備える。以下、光学式情報読取装置３００を用いた検品作業について説明する。
＜商品棚の検品作業の一例＞
【００６２】
１）まず、棚番号入力欄９１がハイライト又はフォーカスされている状態で、トリガスイッチ３０を操作し、商品棚に貼ってある商品棚の番号を示すバーコードを読み取る。すると読み取ったバーコードのデータが、棚番号入力欄９１に入力される。また、自動的にハイライト又はフォーカスが商品情報入力欄９２に遷移する。
【００６３】
２）ここで、使用者は入力されたバーコードのデータ、すなわち商品棚の棚番号が正しいかどうかを確認する。棚番号が間違っている場合には、十字キー４１の上を操作して、再びハイライトを棚番号入力欄９１に戻す。
【００６４】
３）一方、棚番号が間違っていない場合には、商品情報入力欄９２がハイライトされた状態で、トリガスイッチ３０を操作し、手に取った商品のバーコードのデータ、すなわち商品情報を読み取る。これにより、読み取ったバーコードの商品情報が、商品情報入力欄９２に入力される。また、自動的に、ハイライト又はフォーカスが商品数入力欄９３に遷移する。ここでも使用者は、入力された商品情報が正しいかどうかを確認することができる。
【００６５】
４）さらにユーザは、十字キー４１を操作して、手に取った商品の個数を入力する。より具体的には、第一ファンクションキー４３を押すと、表示面１２の下方に、専用のソフトウェアキーボードが表示される。そこで、十字キー４１を操作して、所望の数字を入力する。例えば、十字キー４１の上下により数字を選択し、十字キー４１の右を押すと数字が決定され、商品数入力欄９３への入力が完了する。なお、数値の入力方法はこれに限られず、「０」〜「９」の数字を並べて表示し、タッチパネルを介して選択させる等、既知の任意の方法が利用できる。
【００６６】
５）商品数入力欄９３への数字入力が完了すると、自動的にハイライト（フォーカス）が「次へ」ボタン９５に遷移する。この状態で、ユーザがエンターキー４２を押すと、一つの商品について検品作業が完了し、ハイライトは棚番号入力欄９１に戻り、次の商品について検品作業の準備が完了する。また「戻る」ボタン９４を押下すると、前の商品の検品画面に戻る。
【００６７】
このように、本実施形態における光学式情報読取装置１００は、撮像モジュール５０の撮像処理を開始させるトリガスイッチ３０と、トリガスイッチ３０の操作に応じて表示内容（ハイライトの位置）が切り替わる表示画面において、表示内容を操作（例えばハイライトの位置を変更）し、且つ、表示画面を介した数値入力の決定操作を行うための操作キー４０（少なくとも十字キー４１とエンターキー４２を含む）とを備えている。なお、操作キー４０のうちの第一ファンクションキー４３には、様々な機能を割り付けることができ、例えば、音声のボリュームＵＰ又はボリュームＤＯＷＮ、トリガ機能、エイマー機能などである。
【産業上の利用可能性】
【００６８】
本発明の光学式情報読取装置は、操作性を改善して使い勝手を向上させたい場面で好適に利用できる。
【符号の説明】
【００６９】
１００、２００、３００、７００…光学式情報読取装置
１０、７１０…本体部
１１、１１Ｂ、１１Ｃ…表示モジュール
１２…表示面
１３…傾斜面
１４…収納部
１５…透光性カバー
１６…トリガ支持部材
１７…被覆弾性部材
２０、２０Ｂ、２０Ｃ、７２０…把持部
２１…把持突出片
２２…第一凹部
２３…第二凹部
２４…第三凹部
２５…電池蓋
２６…二次電池
３０…トリガスイッチ
４０、７４０…操作キー
４１…十字キー
４２…エンターキー
４３…第一ファンクションキー
４４…電源キー
４５…第二ファンクションキー
４６…＋キー
４７…−キー
５０…撮像モジュール
９０…検品画面
９１…棚番号入力欄
９２…商品情報入力欄
９３…商品数入力欄
９４…「戻る」ボタン
９５…「次へボタン」
ＳＢ…シンボル
Ｘ…後端突出部分
【図１】
2020177310.tif 000003
【図２】
2020177310.tif 000004
【図３】
2020177310.tif 000005
【図４】
2020177310.tif 000006
【図５】
2020177310.tif 000007
【図６】
2020177310.tif 000008
【図７】
2020177310.tif 000009
【図８】
2020177310.tif 000010
【図９】
2020177310.tif 000011
【図１０】
2020177310.tif 000012
【図１１】
2020177310.tif 000013
【図１２】
2020177310.tif 000014
【図１３】
2020177310.tif 000015
【図１４】
2020177310.tif 000016